(57)【要約】【課題】人力によってセパレータを折る作業における作業者の負担を軽減でき、効率のよいセパ折りを実現できるセパレータ切断工具を提供する。【解決手段】コンクリートの型枠形成に使用されるセパレータＳＰを折るために使用される工具であって、セパレータＳＰの軸端部を収容しうる、略筒状の開口部２ｈを有しており、開口部２ｈの内面に、セパレータＳＰの端部に形成されているネジ部Ｓと係合しうる係合突起３を備えている。セパレータＳＰの軸端部を開口部２ｈに挿入してセパレータＳＰを揺動させたときに、工具に加えた力を確実にセパレータＳＰを折り曲げる力に利用できるので、従来の工具に比べて、一本のセパレータを折るために必要とする力を軽減することができる。よって、セパレータＳＰを折る作業における作業者の負担を軽減でき、セパレータＳＰの先端を切断する作業工数が多くても、その作業負担を軽減でき、作業時間も短くできる。【選択図】図１
2010189894.tif 000002
【特許請求の範囲】
【請求項１】
コンクリートの型枠形成に使用されるセパレータを折るために使用される工具であって、
前記セパレータの軸端部を収容しうる、略筒状の開口部を有しており、
該開口部の内面に、前記セパレータの端部に形成されているネジ部と係合しうる係合突起を備えている
ことを特徴とするセパレータ切断工具。
【請求項２】
軸状の本体部と、該本体部の一端に設けられた先端部とを備えており、
該先端部に前記開口部が形成されており、
該開口部の中心軸方向は、前記本体部の軸方向に対して傾斜するように設けられている
ことを特徴とする請求項１記載のセパレータ切断工具。
【請求項３】
前記開口部は、
先端から内方に向かって内径が大きくなるように形成されている
ことを特徴とする請求項１または２記載のセパレータ切断工具。
【請求項４】
前記係合突起は、
該開口部の中心軸の方向に沿って複数形成されており、
該開口部の中心軸を含む面内において、該中心軸に対して互いに非対称となるように設けられている
ことを特徴とする請求項１、２または３記載のセパレータ切断工具。
【請求項５】
前記先端部は、
前記本体部に対して、着脱可能に取り付けられている
ことを特徴とする請求項２、３または４記載のセパレータ切断工具。
【発明の詳細な説明】
【技術分野】
【０００１】
本発明は、セパレータ切断工具に関する。さらに詳しくは、打設されたコンクリート壁面から突出する型枠用セパレータの先端部分を折断するためのセパレータ折断工具に関する。
【背景技術】
【０００２】
型枠用セパレータ（以下、単にセパレータという）は、土木・建築現場の型枠工事において、型枠堰板と支保工で形成された型枠をコンクリートの側圧に対して所定の寸法を保持するために使用される仮設金物である。
【０００３】
図６はセパレータを使用した建築現場の型枠工事の概略説明図である。図７はセパレータを使用した建築現場の型枠工事の概略説明図であって、型枠堰板Ｐを外した状態の説明図である。
図６および図７において、符号Ｐは型枠堰板、符号ＳＰはセパレータ、符号Ｃは型枠堰板Ｐ内に流し込まれたコンクリートをそれぞれ示している。図６および図７に示すように壁や擁壁、梁等のコンクリート構造物を形成する場合には、まず、パイプやセパレータＳＰによって、コンクリート構造物の形状を有する空間（打設空間）ができるように型枠堰板Ｐを組み立て、前記打設空間にコンクリートＣを打設する（図６）。
そして、打設したコンクリートが硬化した後、型枠堰板Ｐが解体される。すると、コンクリート構造物Ｃが露出するのであるが、このコンクリート構造物Ｃの側面にはセパレータＳＰの先端が突出した状態になる（図７）ので、このセパレータＳＰの先端は型枠堰板Ｐを解体した後に除去される。
【０００４】
このセパレータＳＰの先端を除去する方法として、従来からセパレータＳＰの先端を折って除去することが行われている。
セパレータＳＰの先端を折る方法として、ハンマーなどによって叩いて折り曲げる方法とセパレータＳＰの先端を保持して力を加えて折り曲げる方法が考えられる。
しかし、セパレータＳＰの先端をハンマーなどによって叩いた場合には、ハンマーで叩いたときの衝撃によってセパレータＳＰとコンクリートＣとの結合が外れ、セパレータＳＰとコンクリートＣとの間に隙間ができてしまう可能性がある。
そこで、通常は、セパレータＳＰの先端を折るための工具（セパレータ折断用工具）によってセパレータＳＰの先端を保持した状態でセパレータＳＰに折り曲げる力を加えて、セパレータＳＰの先端を折っている（例えば特許文献１〜３参照）。
【０００５】
特許文献１〜３に記載されているセパレータ折断用工具では、工具の一端に穴が形成されており、この穴にセパレータＳＰの先端を挿入して、セパレータＳＰに折り曲げる力を加える。具体的には、図８に示すように、セパレータ折断用工具ＳＴをその一端を支点と揺動させると、セパレータＳＰの先端は折れ曲がる。よって、セパレータ折断用工具ＳＴの揺動を何回も繰り返せば、セパレータＳＰの先端を切断することができる。
【０００６】
しかるに、特許文献１〜３のセパレータ折断用工具によってセパレータＳＰの先端を切断する作業は人力による単調作業であり、一本のセパレータＳＰを折る作業でも非常に重労働である。しかも、セパレータＳＰは型枠を形成する際に非常に多く使用されるので、コンクリート構造物を形成した後、セパレータＳＰの先端を切断する作業工数も非常に多くなり、全セパレータＳＰの先端除去には長時間を要する。
【０００７】
一本のセパレータＳＰを折る作業における作業者の負担を軽減できれば、セパレータＳＰの先端を切断する作業工数が多くても、その作業負担を軽減でき、作業時間も短くできる。
しかし、現在のところ、人力によってセパレータＳＰを折る作業における作業者の負担を十分に軽減できるセパレータ折断用工具は開発されていない。
【先行技術文献】
【特許文献】
【０００８】
【特許文献１】実用新案登録第３０２８８１０号公報
【特許文献２】実開昭５８−１８１４７２号公報
【特許文献３】実開昭６１−１７８６７８号公報
【発明の概要】
【発明が解決しようとする課題】
【０００９】
本発明は上記事情に鑑み、人力によってセパレータを折る作業における作業者の負担を軽減でき、効率のよいセパ折りを実現できるセパレータ切断工具を提供することを目的とする。
【課題を解決するための手段】
【００１０】
第１発明のセパレータ切断工具は、コンクリートの型枠形成に使用されるセパレータを折るために使用される工具であって、前記セパレータの軸端部を収容しうる、略筒状の開口部を有しており、該開口部の内面に、前記セパレータの端部に形成されているネジ部と係合しうる係合突起を備えていることを特徴とする。
第２発明のセパレータ切断工具は、第１発明において、軸状の本体部と、該本体部の一端に設けられた先端部とを備えており、該先端部に前記開口部が形成されており、該開口部の中心軸方向は、前記本体部の軸方向に対して傾斜するように設けられていることを特徴とする。
第３発明のセパレータ切断工具は、第１または第２発明において、前記開口部は、先端から内方に向かって内径が大きくなるように形成されていることを特徴とする。
第４発明のセパレータ切断工具は、第１、第２または第３発明において、前記係合突起は、該開口部の中心軸の方向に沿って複数形成されており、該開口部の中心軸を含む面内において、該中心軸に対して互いに非対称となるように設けられていることを特徴とする。
第５発明のセパレータ切断工具は、第２、第３または第４発明において、前記先端部は、前記本体部に対して、着脱可能に取り付けられている。
【発明の効果】
【００１１】
第１発明によれば、開口部の内面に係合突起が設けられているので、セパレータの軸端部を開口部に挿入してセパレータを揺動させたときに、係合突起がセパレータの端部に形成されているネジ部と係合する。すると、工具に加えた力を確実にセパレータを折り曲げる力に利用できるので、従来の工具に比べて、一本のセパレータを折るために必要とする力を軽減することができる。よって、セパレータを折る作業における作業者の負担を軽減でき、セパレータの先端を切断する作業工数が多くても、その作業負担を軽減でき、作業時間も短くできる。
第２発明によれば、開口部の中心軸方向と本体部の軸方向がいずれもほぼ水平になるようにセパレータの軸端部を開口部に挿入してセパレータを上下に揺動させれば、セパレータには、上下方向に折り曲げる力に加えて、わずかな捻りが加わる。捻りが加わることによってセパレータは折れやすくなるので、セパレータに対して上下方向に折り曲げる力だけを加える場合に比べて、一本のセパレータを折るために必要とする力を軽減することができる。
第３発明によれば、セパレータ切断工具を揺動させたときに、セパレータの先端とセパレータ切断工具とをしっかりと係合させることができるから、セパレータ切断工具に加える力が小さくても、セパレータＳＰの先端を折り曲げることができる。
第４発明によれば、係合突起が、開口部の中心軸を含む面内において、中心軸に対して互いに非対称となるように設けられているので、セパレータの先端とセパレータ切断工具とをしっかりと係合させることができる。よって、セパレータ切断工具に加える力が小さくても、セパレータＳＰの先端を折り曲げることができる。
第５発明によれば、異なる開口部径を有する先端部を準備しておけば、先端部を取り替えるだけで、異なるサイズのセパレータにも使用できる。
【図面の簡単な説明】
【００１２】
【図１】第１実施形態のセパレータ切断工具１の概略説明図であって、（Ａ）は全体図であり、（Ｂ）は先端部２の概略拡大断面図である。
【図２】第１実施形態のセパレータ切断工具１によってセパレータを切断する作業の概略説明図である。
【図３】第２実施形態のセパレータ切断工具１Ｂの概略説明図であって、（Ａ）は全体図であり、（Ｂ）は先端部２Ｂの概略拡大断面図である。
【図４】第２実施形態のセパレータ切断工具１Ｂによってセパレータを切断する作業の概略説明図であって、（Ａ）は側面図であり、（Ｂ）は（Ａ）のＢ−Ｂ線断面矢視図である。
【図５】先端部２内面に形成される係合突起３の例を示した図である。
【図６】セパレータＳＰを使用した建築現場の型枠工事の概略説明図である。
【図７】セパレータＳＰを使用した建築現場の型枠工事の概略説明図であって、型枠堰板Ｐを外した状態の説明図である。
【図８】セパレータＳＰの先端を折り曲げて切断する作業の概略説明図である。
【発明を実施するための形態】
【００１３】
つぎに、本発明の実施形態を図面に基づき説明する。
まず、第１実施形態のセパレータ切断工具１を説明する前に、セパレータ切断工具１によって切断するセパレータＳＰを説明する。
【００１４】
図２において、符号Ｃは打設されたコンクリート構造物を示している。このコンクリート構造物Ｃには、型枠の形成時および型枠に加わるコンクリートの側圧に対して所定の寸法を保持するために使用されていたセパレータＳＰの軸Ａが埋設される。このセパレータＳＰの軸Ａは、その先端部をコンクリート構造物Ｃの側面から突出させた状態で埋設される。
このセパレータＳＰには、その先端部にカップ状の部材Ｂが設けられている。型枠は、この部材Ｂの先端（開口側の端部）と型枠堰板Ｐとが密着するように形成されるので、部材Ｂは、その内部に空間を有する状態でコンクリート構造物Ｃに埋設される。このため、部材Ｂの内部の空間に、セパレータＳＰの軸Ａの切断すべき先端部が配置されるのである。
【００１５】
なお、セパレータＳＰの軸Ａには、軸径が他の部分よりも細くなったくびれ部Ｔが形成されている。このくびれ部Ｔは、セパレータＳＰがコンクリート構造物Ｃに埋設された状態において、部材Ｂの近傍、言い換えれば、コンクリート構造物Ｃの表面近傍に位置するように形成されるが、その理由は後述する。
【００１６】
つぎに、第１実施形態のセパレータ切断工具１を説明する。
図１に示すように第１実施形態のセパレータ切断工具１は、先端部２と本体部５とから構成されている。
【００１７】
まず、本体部５は軸状の部材であって、その先端に先端部２が連結され、基端部に人が保持するためのグリップ１ｇが設けられている。この本体部５は、例えば、ステンレスや鉄、アルミ合金等で形成されたパイプによって形成することができる。
【００１８】
なお、本体部５はパイプ状である必要はなく、中実な棒状でもよい。また、本体部５の長さや軸径も特に限定されないが、例えば、長さ300〜400ｍｍ、軸径15〜20ｍｍ程度が作業性の点から好ましい。
また、本体部５は軸状であれば作業を行う上で取り扱いが容易になるが、必ずしも軸状である必要はない。つまり、本体部５の形状もとくに限定されず、後述するように、本体部５を人が保持した作業者が、先端部２の先端を支点として人力で揺動させることができるように形成されていればよい。
【００１９】
前記本体部５の先端には、先端部２が設けられている。この先端部２には、その先端（図１で左端）に開口を有する略筒状の開口部２ｈが形成されている。この開口部２ｈは、その中心軸２ｃが本体部５の中心軸５ｃと一致するように設けられており、その内径が前記セパレータＳＰの軸Ａの軸径よりも少し大きくなるように形成されている。例えば、開口部２ｈの内径は、セパレータＳＰの軸Ａの軸径よりも１〜３ｍｍ程度大きくなるように、より好ましくは２ｍｍ程度大きくなるように形成される。
そして、開口部２ｈは、その軸方向の長さはとくに限定されないが、４０ｍｍ以上、つまり、部材Ｂの内部から突出しているセパレータＳＰの軸Ａの先端部の長さＬよりも長くなるように形成されている。
一方、先端部２の先端は、その外径が前記セパレータＰの部材Ｂの空間内に入れることができる程度の大きさに形成されている。
【００２０】
第１実施形態のセパレータ切断工具１は上記のごとき構造を有するので、先端部２の先端開口から開口部２ｈ内にセパレータＳＰの軸Ａの先端部を挿入することができる。しかも、セパレータＳＰの軸Ａの先端部を開口部２ｈ内に挿入したまま、先端部２の先端をセパレータＳＰの部材Ｂの空間内に配置できるのである（図２参照）
【００２１】
また、前記開口部２ｈの内面には、開口部の中心軸２ｃ方向に沿って複数の係合突起３が設けられている。この係合突起３の形状はとくに限定されず、セパレータＳＰのネジ部が係合できる形状であればよい。
【００２２】
以上のごとき形状を有するセパレータ切断工具１によってセパレータＳＰの先端を切断する作業を説明する。
【００２３】
図２のごとき状態で埋設されているセパレータＳＰの先端部を切断する場合、まず、セパレータ切断工具１の先端から開口部２ｈ内にセパレータＳＰの先端を挿入する。このとき、先端部２の先端が部材Ｂの内面に突き当たるまで挿入する。
【００２４】
先端部２が部材Ｂの内面に突き当たるまで挿入すると、セパレータ切断工具１のグリップ１ｇを握って、作業者がセパレータ切断工具１の先端（部材Ｂの内面との接触点）を支点としてセパレータ切断工具１を上下に揺動させる。
すると、セパレータＳＰの先端部のネジ部Ｓと係合突起３が係合するので、セパレータ切断工具１を揺動する力が、セパレータＳＰの先端部に加わり、セパレータＳＰの先端部も上下に揺動される。
【００２５】
セパレータＳＰはその軸Ａがコンクリート構造物Ｃに埋設されているので、その先端部が揺動されると、コンクリート構造物Ｃに埋設されている部分と先端部（開口部２ｈ内の部分）との間で折れ曲がる。このとき、セパレータＳＰにはくびれ部Ｔが形成されており、このくびれ部Ｔがコンクリート構造物Ｃの表面近傍に位置しているので、軸Ａはくびれ部Ｔで折れ曲がる。
そして、セパレータ切断工具１を上下に何回も揺動させれば、やがて軸Ａは、そのくびれ部Ｔで切断される。
【００２６】
以上のごとく、第１実施形態のセパレータ切断工具１では、セパレータＳＰの先端部を開口部２ｈに挿入してセパレータ切断工具１を揺動させれば、セパレータＳＰの先端部を切断することができる。
しかも、セパレータ切断工具１を揺動させたときに、係合突起３がセパレータＳＰの端部に形成されているネジ部Ｓと係合するから、セパレータ切断工具１に加えた力を確実にセパレータＳＰを折り曲げる力に利用できる。
このため、従来の工具に比べて、一本のセパレータＳＰを折るために必要とする力を軽減することができるし、一本のセパレータＳＰを折るために必要な時間も短くできるから、セパレータＳＰを折る作業における作業者の負担を軽減できる。すると、切断するセパレータＳＰの数が多くても、言い換えれば、セパレータＳＰの先端を切断する作業工数が多くても、その作業負担を軽減できるし、作業時間も短くできる。
【００２７】
また、係合突起３は、開口部２ｈの軸方向に沿って複数形成されているので、セパレータＳＰのネジ部Ｓと係合突起３との係合部分が多くなる。すると、セパレータ切断工具１に加えた力をより確実にセパレータＳＰの先端に伝達できるので、セパレータ切断工具１に加える力が小さくても、セパレータＳＰの先端を折り曲げることができる。
【００２８】
とくに、係合突起３を、開口部２ｈの中心軸２ｃを含む面内において、中心軸２ｃに対して互いに非対称となるように設けると好適である。
つまり、中心軸２ｃを挟んで対向する係合突起３の先端の位置が開口部２ｈの中心軸２ｃ方向に沿ってズレた状態となるように設ける（図１の３ａ、３ｂ参照）。すると、ネジ部Ｓの両側（セパレータＳＰの中心軸を挟んだ両側）のねじ山が係合突起３に係合しやすくなるから、セパレータＳＰの先端のネジ部Ｓと係合突起３とをより効果的に係合させることができる。なぜなら、開口部２ｈの内径は、セパレータＳＰの軸Ａの軸径よりも１〜３ｍｍ程度大きいので、セパレータ切断工具１を揺動させたときに、セパレータＳＰの先端部は、その中心軸が開口部２ｈの中心軸２ｃに対して傾いた状態でネジ部Ｓが係合突起３に係合するからである。
なお、複数の係合突起３は、開口部２ｈの内面全長に渡って設けてもよいし、内面の一部分だけに設けてもよく、とくに限定されない。
【００２９】
また、この開口部２ｈは、先端から内方に向うにしたがってその内径が大きくなるように形成されていてもよい。つまり、図１（Ｂ）に示すように、開口部２ｈは、先端側の内径Ｄ１よりも内方の部分の内径Ｄ２が大きくなるように形成された部分を備えていてもよい。つまり、開口部２ｈは、先端から奥に向かうに従って空間が広がるように、内面が傾斜した傾斜面となるように形成されていてもよい。例えば、セパレータＳＰの軸Ａの軸径が７ｍｍ程度であって、開口部２ｈの内径Ｄ１が９ｍｍ程度であれば、６度程度傾斜するように形成する。
この場合、セパレータ切断工具１を揺動させたときに、セパレータＳＰの先端部のネジ部Ｓ側面と開口部２ｈ内面とが平行に近くなった状態で係合する。すると、ネジ部Ｓの片側に位置するねじ山しか係合突起３に係合しなくなる可能性はあるが、片側だけでもネジ部Ｓのねじ山と係合する係合突起３の数を多くなる。よって、この構造としても、セパレータ切断工具１に加えた力をより効果的にセパレータＳＰに伝えることができる。
なお、開口部２ｈは、その内面全長に渡って傾斜面としてもよいし、係合突起３が形成されている部分だけを傾斜面としてもよく、とくに限定されない。
【００３０】
なお、上記例では、先端部２と本体部５とが固定されている場合を説明したが、先端部２と本体部５とは着脱可能としてもよい。この場合には、異なる開口部径を有する先端部２を準備しておけば、先端部２を取り替えるだけで、異なるサイズのセパレータＳＰの切断作業を行うことができる。
また、先端部２の基端に、専用の本体部５以外の一般的な部材、例えば、ハンマーの持ち手部分等にネジ結合等によって取り付けることができるようにしてもよい。この場合、先端部２だけを保有しておけば、セパレータＳＰの切断作業を行うことができる。
【００３１】
つぎに、第２実施形態のセパレータ切断工具１Ｂを説明する。
第２実施形態のセパレータ切断工具１Ｂは、第１実施形態のセパレータ切断工具１に対してその開口部２ｈの配置が異なるものである。第２実施形態のセパレータ切断工具１Ｂにおいて、開口部２ｈの配置以外の部分は第１実施形態のセパレータ切断工具１と実質同等の構造を有するので、以下では、第１実施形態のセパレータ切断工具１と実質同等の構造を有する部分の説明は割愛する。
【００３２】
図３に示すように、第２実施形態のセパレータ切断工具１Ｂでは、先端部２Ｂの開口部２ｈは、その中心軸２ｃが本体部５Ｂの中心軸５ｃに対してわずかに傾斜した状態となるように設けられている。例えば、開口部２ｈの中心軸２ｃは、本体部５Ｂの中心軸５ｃに対してなす角θが、５〜１２度程度、より好ましくは６〜８度程度となるように形成されている。
【００３３】
かかる構造のセパレータ切断工具１ＢによってセパレータＳＰの先端を切断する場合には、図４に示すように、開口部２ｈにセパレータＳＰを挿入する。具体的には、図４（Ｂ）に示すように、セパレータＳＰを挿入した状態のセパレータ切断工具１Ｂを上方から見たときに、本体部５Ｂの中心軸５ｃがセパレータＳＰの中心軸に対してわずかに傾斜した状態となるように、開口部２ｈにセパレータＳＰを挿入する。
すると、この状態でセパレータ切断工具１Ｂを上下に揺動させれば、セパレータＳＰのくびれ部Ｔに対して、上下方向に折り曲げる力に加えて、わずかな捻りが加わる。
すると、セパレータＳＰのくびれ部Ｔに対して上下方向に折り曲げる力だけが加わる場合に比べて、セパレータＳＰのくびれ部Ｔが折れやすくなるので、一本のセパレータＳＰを折るために必要とする力を軽減することができる。
しかも、作業者は、従来のセパレータ切断工具と同様に工具を上下に揺動させるだけでよいので、作業が簡単であるし、セパレータＳＰ先端を捻るための余分な力や技術も不要である。
【００３４】
しかも、開口部２ｈの中心軸２ｃと本体部５Ｂの中心軸５ｃに対してなす角θが小さいので、セパレータＳＰを中心軸周りに回転させようとする力はそれほど大きくならない。このため、セパレータＳＰのくびれ部Ｔに対してわずかな捻りが加わっても、セパレータＳＰの軸Ａがその軸周りに回転することが無いから、セパレータＳＰの軸Ａがコンクリート構造物から剥離することもない。
【００３５】
また、セパレータ切断工具１の開口部２ｈの断面形状はとくに限定されず、一般的な円形断面や種々の形状とすることができる。図５にはセパレータ切断工具１の開口部２ｈを先端面側から見たときにおける開口部２ｈの形状を示している。図５（Ａ）は円形断面の場合でありその内面に沿って係合突起３が形成されている。また、開口部２ｈの形状は、略花弁状（図５（Ｂ））や十字状（図５（Ｃ））に形成されていてもよく、この場合も、その内面に沿って係合突起３が形成される。
そして、略花弁状（図５（Ｂ））や十字状（図５（Ｃ））の場合には、内部の空間に向かって突出した部分があるので、円形断面の場合に比べて、係合突起３とセパレータＳＰのネジＳとが係合しやすい上に、しっかりと係合させることができる。
【００３６】
なお、図５において、符号２ｇは開口部２ｈに形成されている溝を示している。この溝２ｇは、開口部２ｈの先端から軸方向に沿って形成されている。この溝２ｇは、セパレータＳＰの先端部の側面に突起が形成されている場合において、セパレータＳＰの先端Ｓを開口部２ｈに挿入するときにその突起を収納するための溝であるが、セパレータＳＰがその先端部の側面に突起を有しない場合には設けなくてもよい。
【産業上の利用可能性】
【００３７】
本発明のセパレータ切断工具は、打設されたコンクリート壁面から突出する型枠用セパレータの先端部分を折断する工具として適している。
【符号の説明】
【００３８】
１        セパレータ切断工具
２        先端部
２ｈ      開口部
２ｃ      中心軸
３        係合突起
５        本体部
５ｃ      中心軸
Ｃ        コンクリート構造物
ＳＰ      セパレータ
Ｓ        ネジ部
【図１】
2010189894.tif 000003
【図２】
2010189894.tif 000004
【図３】
2010189894.tif 000005
【図４】
2010189894.tif 000006
【図５】
2010189894.tif 000007
【図６】
2010189894.tif 000008
【図７】
2010189894.tif 000009
【図８】
2010189894.tif 000010